(57)【要約】【課題】  ＤＨＣＰではＩＰアドレスのリース期間は、サーバ側でＩＰアドレス毎に任意に割り当てている。  この環境にある情報処理装置において、省電力制御のため、リース期間が迫るたびにリジュームする制御方法を用いた場合、スリープ時間が長い装置に、より長いリース期間のＩＰアドレスを割り当てた方が効果的に省電力の制御をすることが可能であるが、そうした制御方法はなかった。【解決手段】  プリンタは一定期間、例えば１日などの期間に自機のスリープ期間の総時間数を換算する。この情報を送信／受信することにより他のプリンタと共有し、ＩＰアドレスのリース期間が長いＩＰアドレスを、ＤＨＣＰのプロトコルに従いスリープ時間が長い装置に譲渡する。【選択図】  図３
2007134980.tif 000002
【特許請求の範囲】
【請求項１】
ネットワークに接続された情報処理装置において、
ネットワーク接続時にＤＨＣＰのプロトコルに従いＩＰアドレスを取得することが可能なネットワーク制御手段と、
スリープ時間を計算する時間計算手段と、
ＩＰアドレスの譲渡を要求するＩＰアドレス譲渡要求手段と、
ＩＰアドレスの譲渡の要求を受信するＩＰアドレス譲渡要求受信手段と、
前記ＩＰアドレス取得通知受信手段から得た情報を比較する情報比較手段と、
ＩＰアドレスの譲渡を通知するＩＰアドレス譲渡申請手段と、
ＩＰアドレスの譲渡の通知を受信するＩＰアドレス譲渡申請受信手段と、
ＩＰアドレスの開放要求を通知するＩＰアドレス開放要求手段と、
ＩＰアドレスの開放要求の通知を受信するＩＰアドレス開放要求受信手段と、
ＩＰアドレスの開放を通知するＩＰアドレス開放通知手段と、
ＩＰアドレスの開放の通知を受信するＩＰアドレス開放通知受信手段と、
ＩＰアドレスの取得完了を通知するＩＰアドレス取得完了手段と、
ＩＰアドレスの取得完了の通知を受信するＩＰアドレス取得完了受信手段と、
を備えることを特徴とする情報処理装置。
【請求項２】
ネットワークに接続された情報処理装置において、
ネットワーク接続時にＤＨＣＰのプロトコルに従いＩＰアドレスを取得することが可能なネットワーク制御手段と、
スリープ時間を計算する時間計算手段と、
ＩＰアドレスの譲渡を要求するＩＰアドレス譲渡要求手段と、
ＩＰアドレスの譲渡の通知を受信するＩＰアドレス譲渡申請受信手段と、
ＩＰアドレスの開放要求を通知するＩＰアドレス開放要求手段と、
ＩＰアドレスの開放の通知を受信するＩＰアドレス開放通知受信手段と、
ＩＰアドレスの取得完了を通知するＩＰアドレス取得完了手段と、
を備えることを特徴とする情報処理装置。
【請求項３】
ネットワークに接続された情報処理装置において、
ネットワーク接続時にＤＨＣＰのプロトコルに従いＩＰアドレスを取得することが可能なネットワーク制御手段と、
スリープ時間を計算する時間計算手段と、
ＩＰアドレスの譲渡の要求を受信するＩＰアドレス譲渡要求受信手段と、
前記ＩＰアドレス取得通知受信手段から得た情報を比較する情報比較手段と、
ＩＰアドレスの譲渡を通知するＩＰアドレス譲渡申請手段と、
ＩＰアドレスの開放要求を受信するＩＰアドレス開放要求受信手段と、
ＩＰアドレスの開放を通知するＩＰアドレス開放通知手段と、
ＩＰアドレスの取得完了の通知を受信するＩＰアドレス取得完了受信手段と、
を備えることを特徴とする情報処理装置。
【請求項４】
前記ＩＰアドレス譲渡要求手段は、
ＩＰアドレスのリース期間とスリープ時間情報を含めてＩＰアドレスの取得を通知することを特徴とする請求項１、２の情報処理装置。
【請求項５】
前記情報比較手段は、
前記ＩＰアドレス譲渡要求手段によって得たスリープ時間とＤＨＣＰのリース期間を比較し、次の操作を決定することを特徴とする請求項１、３の情報処理装置。
【請求項６】
前記情報比較手段は、
前記ＩＰアドレス取得通知受信手段によって得たスリープ時間とＤＨＣＰのリース期間を比較し、自機のスリープ時間よりも情報を取得したスリープ時間のほうが長く、なおかつ、自記に割り当てられたＤＨＣＰのリース期間よりも情報を取得したＤＨＣＰのリース期間のほうが小さい場合、ＩＰアドレスの譲渡を申請する操作を行うことを特徴とする請求項５の情報処理装置。
【請求項７】
前記ＩＰアドレス譲渡申請手段は、
自機のスリープ時間、およびＩＰアドレスのリース期間の情報を含めたことを特徴とする請求項５、６の情報処理装置。
【請求項８】
前記ＩＰアドレス開放要求手段は、
前記ＩＰアドレス譲渡申請受信手段によって得られた情報を判断して、ＩＰアドレス開放要求することを特徴とする請求項１、２、４〜７の情報処理装置。
【請求項９】
前記ＩＰアドレス開放要求手段は、
前記ＩＰアドレス譲渡申請受信手段によって得られた複数のＩＰアドレス譲渡申請情報を判断して、ＩＰアドレス開放要求する情報処理装置を選択することを特徴とする請求項１、２、４〜８の情報処理装置。
【請求項１０】
前記ＩＰアドレス開放要求受信手段は、
一定時間情報が得られなかった場合スタンバイ状態に戻ることを特徴とする請求項１、２、４〜９の情報処理装置。
【請求項１１】
前記ＩＰアドレス開放通知手段は、
自機が省電力モードに入るときに、通知を行うことを特徴とする請求項１、３〜１０の情報処理装置。
【請求項１２】
前記ＩＰアドレス開放通知手段は、
自機が電力遮断制御を行うときに、通知を行うことを特徴とする請求項１、３〜１０の情報処理装置。
【請求項１３】
前記ＩＰアドレス開放通知手段は、
自機のスリープ時間が短いと判断したときに、通知を行うことを特徴とする請求項１、３〜１０の情報処理装置。
【請求項１４】
前記情報処理装置は、
一定の時間が経つたびに同様の制御を行いＩＰアドレスの最適な配分を行うことを特徴とする請求項１〜１３の情報処理装置。
【発明の詳細な説明】
【技術分野】
【０００１】
本発明は、ローカルエリアネットワーク（ＬＡＮ）環境にある各種の機器において、パワーマネジメント機能を搭載した装置の制御技術に関する。
【背景技術】
【０００２】
ローカルエリアネットワーク(LAN)には、DHCP(Dynamic Host Configuration Protocol)というプロトコルがある。DHCPとは、ネットワーク上にDHCPサーバを設置し、同様にネットワークにつながれたクライアントPCに対し、動的にIPアドレスを割り当てる方法である。（非特許文献１参照）。
【０００３】
固定IPアドレスを利用する場合、ネットワークの管理者はIPアドレスを管理し、このIPアドレスをクライアント毎に割り振り、クライアントはこのIPアドレスを設定する必要があった。この固定IPアドレスを割り振るネットワーク環境においては、管理者がネットワークを常に管理しなければならないため管理者に負担が掛かるということや、クライアントのIPアドレスの設定ミスによって、ネットワークに多大な影響を与える可能性がある。
【０００４】
この不都合を解消するため、DHCPでは、DHCPサーバがネットワークにつながれたクライアントPCの要求に応じてIPアドレスを自動的に割り振る機構を備える。このためDHCPを用いることにより、今まで、ネットワークの構成が変更するたびにIPアドレスを設定しなおすという煩雑な手間を省くことができるようになった。
【０００５】
DHCPではIPアドレスの割り当てに関して、次の３つの方法がある。「自動割り当て」では、DHCPはそのクライアントがずっと使用していいアドレスを割り当てる。「動的割り当て」では、DHCPサーバはクライアントPCにアドレスを一定時間リースする。「手動割り当て」では、ネットワーク管理者が割り当てられるIPアドレスを決めておき、DHPCサーバは単にクライアントPCにIPアドレスを配布するためだけに使用される。
【０００６】
このうち「動的割り当て」ではDHCPサーバがクライアントPCに対して一定期間IPアドレスを割り当てる方法である。この「動的割り当て」の仕組みは、クライアントがIPアドレスを使用したい旨を要求し、DHCPサーバがIPアドレスを割り振ったら、そのIPアドレスを他のクライアントに割り当てをしないようにする。クライアントがそのネットワークから外れた場合、DHCPサーバは、同じIPアドレスを他のクライアントに割り当てても良い。この再利用の操作によりIPアドレスの枯渇を防ぐことになる。このように限られたIPアドレスを効率的に使用することができるため、もっとも多く用いられている。
【０００７】
この、「動的割り当て」では、サーバとクライアント間で以下のようにネゴシエーションしてIPアドレスをリースする。
【０００８】
(1) IPアドレスを要求するDHCPDISCOVERの信号をブロードキャストする。
【０００９】
(2) DHCPサーバからの応答であるDHCPOFFER信号を受ける。
【００１０】
(3) IPアドレスの割り当てをDHCPサーバへ要求するDHCPREQUESTを送る。
【００１１】
(4) DHCPサーバがIPアドレスを割り当てたことを伝えるDHCPACKを受ける。
【００１２】
このＩＰアドレスのリース期間は、サーバ側でＩＰアドレス毎に任意に割り当てている。例えば以下のように設定することができる。
【００１３】
ＩＰアドレスＡは固定ＩＰアドレスとして用いる。
【００１４】
ＩＰアドレスＢはＤＨＣＰとして用い、リース期間として１日を割り当てるＩＩＰアドレスＣはＤＨＣＰとして用い、リース期間として１０分を割り当てる。
【００１５】
このようにＤＨＣＰは、環境に合わせて柔軟に設定することができる。
【００１６】
一方、近年、全世界的に環境負荷の低減を推進する動きが広がっている。国家レベルで規制を設け、規制を満たしていない電化製品には、販売の認可を与えない、などの制限を設ける場合もある。今後消費電力においても同様に規制が厳しくなっていくと考えられる。
【００１７】
このため、今後市場に出る装置には、パワーマネジメント機能を持たせることが必要になると考えられる。パワーマネジメント機能とはユーザーが使用してない間、機能の一部を停止させることにより、消費電力を低減させ、ユーザーの操作や、ユーザーが使用する別のホストからのアクセスがあると通常状態に復帰する機能である。
【００１８】
しかし、DHCP環境において、パワーマネジメント機能を使用することに対しては、問題点がある。
【００１９】
DHCP環境でのリジュームの方法として、クライアントがIPアドレスを保持したままスリープ・モードに移行する方法を採るとリジューム時にIPアドレスの重複が発生してしまう。一方、スリープ・モード移行時にIPアドレスを開放してからスリープ・モードになる方法を採ると、先に説明したようなIPアドレスリースのネゴシエーションが必要であるため、リジューム時に長時間要してしまう。
【００２０】
この問題を回避するため、リース期間として設定された時間が経つたびに、装置をリジュームし、ＤＨＣＰサーバに再リースを要求する制御方法が考えられる。
【００２１】
図６は上述したリース期間が経つたびに、装置をリジュームする方法を示したものである。リジュームした期間の間に、ＤＨＣＰサーバに再リースを要求し、取得するための制御を行う。この制御によって、ＤＨＣＰ環境下においても、安定したパワーマネジメント制御を行うことができる。
【非特許文献１】ＲＦＣ２１３１（Ｎｅｔｗｏｒｋ  Ｗｏｒｋｉｎｇ  Ｇｒｏｕｐ  Ｒｅｑｕｅｓｔ  ｆｏｒ  Ｃｏｍｍｅｎｔｓ：２１３１）
【発明の開示】
【発明が解決しようとする課題】
【００２２】
ＤＨＣＰのリース期間は使用環境に合わせた柔軟性を持たせるため、32ビットの秒表記で、0から約136年間までの任意の値を取ることができる。このＩＰアドレスのリース期間は、サーバ側でＩＰアドレス毎に任意に割り当てている。
【００２３】
背景技術で説明したように、リース期間が迫るたびにリジュームする制御方法を用いた場合、スリープ時間が長い装置に、より長いリース期間のＩＰアドレスを割り当てた方が効果的に省電力の制御をすることが可能であるが、そうした制御方法はなかった。
【課題を解決するための手段】
【００２４】
請求項１記載の発明は、ネットワークに接続された情報処理装置において、ネットワーク接続時にＤＨＣＰのプロトコルに従いＩＰアドレスを取得することが可能なネットワーク制御手段と、スリープ時間を計算する時間計算手段と、ＩＰアドレスの譲渡を要求するＩＰアドレス譲渡要求手段と、ＩＰアドレスの譲渡の要求を受信するＩＰアドレス譲渡要求受信手段と、前記ＩＰアドレス取得通知受信手段から得た情報を比較する情報比較手段と、ＩＰアドレスの譲渡を通知するＩＰアドレス譲渡申請手段と、ＩＰアドレスの譲渡の通知を受信するＩＰアドレス譲渡申請受信手段と、ＩＰアドレスの開放要求を通知するＩＰアドレス開放要求手段と、ＩＰアドレスの開放要求の通知を受信するＩＰアドレス開放要求受信手段と、ＩＰアドレスの開放を通知するＩＰアドレス開放通知手段と、ＩＰアドレスの開放の通知を受信するＩＰアドレス開放通知受信手段と、ＩＰアドレスの取得完了を通知するＩＰアドレス取得完了手段と、ＩＰアドレスの取得完了の通知を受信するＩＰアドレス取得完了受信手段と、を備えることを特徴とする情報処理装置である。
【００２５】
請求項２記載の発明は、ネットワークに接続された情報処理装置において、
ネットワーク接続時にＤＨＣＰのプロトコルに従いＩＰアドレスを取得することが可能なネットワーク制御手段と、
スリープ時間を計算する時間計算手段と、
ＩＰアドレスの譲渡を要求するＩＰアドレス譲渡要求手段と、
ＩＰアドレスの譲渡の通知を受信するＩＰアドレス譲渡申請受信手段と、
ＩＰアドレスの開放要求を通知するＩＰアドレス開放要求手段と、
ＩＰアドレスの開放の通知を受信するＩＰアドレス開放通知受信手段と、
ＩＰアドレスの取得完了を通知するＩＰアドレス取得完了手段と、
を備えることを特徴とする情報処理装置である。
【００２６】
請求項３記載の発明は、ネットワークに接続された情報処理装置において、ネットワーク接続時にＤＨＣＰのプロトコルに従いＩＰアドレスを取得することが可能なネットワーク制御手段と、スリープ時間を計算する時間計算手段と、ＩＰアドレスの譲渡の要求を受信するＩＰアドレス譲渡要求受信手段と、前記ＩＰアドレス取得通知受信手段から得た情報を比較する情報比較手段と、ＩＰアドレスの譲渡を通知するＩＰアドレス譲渡申請手段と、ＩＰアドレスの開放の要求を受信するＩＰアドレス開放要求受信手段と、ＩＰアドレスの開放を通知するＩＰアドレス開放通知手段と、ＩＰアドレスの取得完了の通知を受信するＩＰアドレス取得完了受信手段と、を備えることを特徴とする情報処理装置である。
【００２７】
請求項４記載の発明は、前記ＩＰアドレス譲渡要求手段は、ＩＰアドレスのリース期間とスリープ時間情報を含めてＩＰアドレスの取得を通知することを特徴とする請求項１、２の情報処理装置である。
【００２８】
請求項５記載の発明は、前記情報比較手段は、前記ＩＰアドレス譲渡要求手段によって得たスリープ時間とＤＨＣＰのリース期間を比較し、次の操作を決定することを特徴とする請求項１、３の情報処理装置である。
【００２９】
請求項６記載の発明は、前記情報比較手段は、前記ＩＰアドレス取得通知受信手段によって得たスリープ時間とＤＨＣＰのリース期間を比較し、自機のスリープ時間よりも情報を取得したスリープ時間のほうが長く、なおかつ、自記に割り当てられたＤＨＣＰのリース期間よりも情報を取得したＤＨＣＰのリース期間のほうが小さい場合、ＩＰアドレスの譲渡を申請する操作を行うことを特徴とする請求項５の情報処理装置である。
【００３０】
請求項７記載の発明は、前記ＩＰアドレス譲渡申請手段は、自機のスリープ時間、およびＩＰアドレスのリース期間の情報を含めたことを特徴とする請求項５、６の情報処理装置である。
【００３１】
請求項８記載の発明は、前記ＩＰアドレス開放要求手段は、前記ＩＰアドレス譲渡申請受信手段によって得られた情報を判断して、ＩＰアドレス開放要求することを特徴とする請求項１、２、４〜７の情報処理装置である。
【００３２】
請求項９記載の発明は、前記ＩＰアドレス開放要求手段は、前記ＩＰアドレス譲渡申請受信手段によって得られた複数のＩＰアドレス譲渡申請情報を判断して、ＩＰアドレス開放要求する情報処理装置を選択することを特徴とする請求項１、２、４〜８の情報処理装置である。
【００３３】
請求項１０記載の発明は、前記ＩＰアドレス開放要求受信手段は、一定時間情報が得られなかった場合スタンバイ状態に戻ることを特徴とする請求項１、２、４〜９の情報処理装置である。
【００３４】
請求項１１記載の発明は、前記ＩＰアドレス開放通知手段は、自機が省電力モードに入るときに、通知を行うことを特徴とする請求項１、３〜１０の情報処理装置である。
【００３５】
請求項１２記載の発明は、前記ＩＰアドレス開放通知手段は、自機が電力遮断制御を行うときに、通知を行うことを特徴とする請求項１、３〜１０の情報処理装置である。
【００３６】
請求項１３記載の発明は、前記ＩＰアドレス開放通知手段は、自機のスリープ時間が短いと判断したときに、通知を行うことを特徴とする請求項１、３〜１０の情報処理装置である。
【００３７】
請求項１４記載の発明は、前記情報処理装置は、一定の時間が経つたびに同様の制御を行いＩＰアドレスの最適な配分を行うことを特徴とする請求項１〜１３の情報処理装置である。
【発明の効果】
【００３８】
以上説明したように、ＤＨＣＰのプロトコルにしたがってＩＰアドレスを取得した装置は、一定期間、例えば１日などの期間に自機のスリープ期間の総時間数を換算する。この情報を送信／受信することにより他のプリンタと共有し、ＩＰアドレスのリース期間が長いＩＰアドレスを、ＤＨＣＰのプロトコルに従いスリープ時間が長い装置に譲渡する。
【００３９】
この制御では、個々のプリンタにおいては、消費電力の増減がある。しかし、スリープ時間が長い装置にリース期間が長いＩＰアドレスを割り当てることにより、ネットワーク全体の省電力化を行うことができる。
【発明を実施するための最良の形態】
【００４０】
発明を実施するための最良の形態は、次の実施例である。
【実施例１】
【００４１】
図１は、本実施例における、ネットワーク環境におけるパワーマネジメント制御を行う画像形成装置の構成図である。
【００４２】
なお、本明細書における実施例ではネットワークに接続された画像形成装置による例をあげるが、画像形成装置に限らず、その他の周辺機器、またはホストとなるＰＣの場合においても、ネットワークに接続される情報処理装置ならば、本特許の権利に含まれる。
【００４３】
同図において、１００は画像形成装置の全体構成図である。１１０はホストから受け取ったデータを処理するコントローラ部である。１１９は操作パネル部であり、画像形成装置の状態を設定するキーや、表示を行う液晶パネルおよびLEDを備えている。
【００４４】
１１１はコントローラＣＰＵであり、画像形成装置のコントローラ部を制御する。１１２はＲＯＭであり、コントローラ部の制御を行うプログラムを格納している。１１３はＲＡＭであり、データの読み書き可能なメモリである。１１４は画像形成部であり、受信した画像を処理して印刷を行う。１１５はネットワーク通信制御部であり、ネットワーク環境につながり、同様にネットワーク環境につながれているホストから画像データを受け取り画像形成装置で印刷することができる。１１６はＲＴＣ（Real Time Clock）であり、IPアドレスのリース延長をするために復帰する時間などを管理する。１１７は、ＥＥＰＲＯＭであり、読み書き可能なメモリである。１１８は操作パネルI/F部であり、操作パネルとの通信を行う。
【００４５】
図２は、ＤＨＣＰのプロトコルに従いＩＰアドレスを取得する制御方法を示したフローチャートである。
【００４６】
電源が投入されるとＳ２１１において初期化の動作を行う。Ｓ２１２ではIPアドレスを取得するため、DHCPDISCOVERの信号をブロードキャストする。このとき要求するＩＰアドレスがある場合、DHCPDISCOVERに、その情報を含めて送信する。サーバ側ではＳ２０１において、DHCPDISCOVERの信号を受信すると、IPアドレスを供給できる場合、Ｓ２０２において、DHCPOFFERの信号をクライアントに送信する。クライアント側ではＳ２１３において、DHCPOFFERの信号を受信する。
【００４７】
クライアント側では、Ｓ２１４において、選択したサーバ情報を含んだDHCPREQUESTを送信する。サーバ側では、Ｓ２０３でDHCPREQUESTを受信して、自サーバが選択されたことを認識すると割り当てられるIPアドレス情報を含んだDHCPACKをクライアントへ送信する。クライアント側ではＳ２１５において、DHCPACKを受信して、その情報に基づきIPアドレスを設定し、Ｓ２１６において、ＩＰアドレスを保存し、スタンバイ状態になる。
【００４８】
図３は、本実施例における、ＩＰアドレス譲渡のためのフローチャートである。
【００４９】
図中に示したように、説明内において、Ｓａ はプリンタＡのスリープ時間であり、Ｓｂ はプリンタＢのスリープ時間であり、Ｔａ はＤＨＣＰサーバよりプリンタＡに割り当てられたＩＰアドレスのリース期間であり、Ｔｂ はプリンタＢのリース期間である。
【００５０】
ＩＰアドレスのリース時間は、ＩＰアドレス毎にサーバで任意に設定されている。
【００５１】
同図において、プリンタＡは、ＩＰアドレスを取得して、一定期間通常の制御を行う。この一定期間はスリープ時間を計算するためのサンプルとなる時間である。この時間内における情報に基づきＳ３０１においてスリープ時間の計算を行う。その後、Ｓ３０２において、ＩＰアドレスの譲渡の要求を通知するＩＰアドレス譲渡要求パケットの送信を行う。このとき、プリンタＡのスリープ時間Ｓａ と、プリンタＡが獲得したＩＰアドレスのリース期間Ｔａ の情報を送信する。
【００５２】
プリンタＢは、Ｓ３１１において、ＩＰアドレス譲渡要求パケットを受信する。Ｓ３１２において、Ｓ３１１で取得したＳａとＴａ を、それぞれプリンタＢのスリープ時間ＳｂとプリンタＢが取得したＩＰアドレスのリース期間Ｔｂ を比較する。ここで、
Ｓａ＞Ｓｂ
かつ
Ｔａ＜Ｔｂ
の場合、Ｓ３１３に進む。そうでない場合は再びスタンバイ状態となる。Ｓ３１３においては、ＩＰアドレスを譲渡することを申し出るＩＰアドレス譲渡申請パケットを送信する。このＩＰアドレス譲渡申請パケットの中に、Ｓｂ、Ｔｂ の情報を含めても良い。
【００５３】
プリンタＡは、Ｓ３０３において、ＩＰアドレス譲渡パケットを受信すると、プリンタＢのＩＰアドレス譲渡の申し出を受け入れるならば、Ｓ３０４において、ＩＰアドレスの開放を要求するＩＰアドレス開放要求パケットを送信する。このとき、プリンタＡは複数のＩＰアドレス譲渡パケット受信を受けてから、その内容を見て、ＩＰアドレスの開放を要求するプリンタを選択しても良い。
【００５４】
プリンタＢはＳ３１４において、ＩＰアドレス譲渡パケットを受信すると、Ｓ３１５において、ＩＰアドレスを開放する。その後、Ｓ３１６において、ＩＰアドレスを開放した旨の連絡を行うＩＰアドレス開放通知パケットを送信する。このときプリンタＢはＩＰアドレスを開放してしまっているので、ブロードキャストで、プリンタＡのMacアドレスを指定して送信する。
【００５５】
プリンタＡは、Ｓ３０５において、ＩＰアドレス開放通知パケットを受信すると、まずＳ３０６において、ＩＰアドレスを開放する。その後Ｓ３０７において、ＤＨＣＰのプロトコルに従い、プリンタＢがＳ３１５で開放したＩＰアドレスを要求する。ＩＰアドレスを取得したら、Ｓ３０８において、ＩＰアドレスを取得したことをプリンタＢに知らせるための、ＩＰアドレス取得完了パケットを送信する。このときプリンタＢはＩＰアドレスを開放してしまっているので、ブロードキャストで、プリンタＢのMacアドレスを指定して送信する。
【００５６】
プリンタＢは、Ｓ３１７において、ＩＰアドレス取得完了パケットを受信する。その後Ｓ３１８において、ＤＨＣＰのプロトコルに従い、ＩＰアドレスを取得する。そのとき、プリンタＡがＳ３０６において開放したＩＰアドレスを要求しても良いし、サーバが任意に配布するＩＰアドレスを要求しても良い。
【００５７】
この制御を一定時間毎に行うことによって、その状況に応じた最適なＩＰアドレスの配分をすることができる。
【００５８】
図４と図５は、本実施例の効果を示すための図である。この図によって、本実施例の効果を具体的に示す。
【００５９】
同図においては、
Ｓａ＞Ｓｂ
かつ
Ｔａ＜Ｔｂ
の状態であった場合の制御前と制御後の消費電力の様子を示す。
【００６０】
また、説明を簡単にするため、ある一定期間中にプリンタＡには印刷ジョブが送られず、プリンタＢには印刷ジョブが頻繁に送られるためスリープ状態にならない、つまりＳｂ＝０の状態とした。さらに、リース期間は３×Ｔａ＝２×Ｔｂとした。
【００６１】
図４は、本実施例を実行する前の消費電力の様子を示した図である。プリンタＡに割り当てられたＩＰアドレスをそのまま使用した場合、次のようになる。
【００６２】
ある一定期間で、プリンタＡに割り当てられたＩＰアドレスのリース期間Ｔａが３回の時間が経ったとする。その間に、リースの延長をするため、プリンタＡは３回リジュームする。一方、プリンタＢは、頻繁に印刷ジョブが送られたためスリープ状態にならない。
【００６３】
図５は、本実施例を実行した後の消費電力の様子を示した図である。本発明による制御を行ってＩＰアドレスを譲渡した場合、次のようになる。
【００６４】
ある一定期間で、プリンタＡに割り当てられたＩＰアドレスのリース期間Ｔｂが２回の時間が経ったとする。その間に、リースの延長をするため、プリンタＡは２回リジュームする。一方、プリンタＢは、頻繁に印刷ジョブが送られたためスリープ状態にならない。
【００６５】
図４と図５を比較すると、頻繁に印刷ジョブが送られてくるプリンタＢの消費電力は変わらないが、スリープ時間が長いプリンタＡのパワーマネジメント制御が効果的に行えている。
【００６６】
つまり、ネットワーク全体で見たとき、スリープ時間が長い装置に装置にリース期間が長いＩＰアドレスが割り当てられていたほうが、全体の消費電力を低減することができる。
【図面の簡単な説明】
【００６７】
【図１】本発明の実施例１における、ネットワーク環境におけるパワーマネジメント制御を行う画像形成装置の構成図である。
【図２】実施例１における、ＤＨＣＰのプロトコルに従いＩＰアドレスを取得する制御方法を示したフローチャートである。
【図３】実施例１における、ＤＨＣＰのＩＰアドレスの譲渡を行う制御方法を示したフローチャートである。
【図４】実施例１における、本実施例を実行する前の消費電力の様子を示した図
【図５】実施例１における、本実施例を実行した後の消費電力の様子を示した図
【図６】背景技術として説明した、ＤＨＣＰ環境において、リース期間が迫るたびにリジュームして、ネットワークの接続を保持する制御方法における、消費電力の様子を示した図
【符号の説明】
【００６８】
１００  画像形成装置
１１０  コントローラ部
１１１  ＣＰＵ
１１２  ＲＯＭ
１１３  ＲＡＭ
１１４  画像形成部
１１５  Network制御部
１１６  ＲＴＣ
１１７  ＥＥＰＲＯＭ
１１８  操作パネルＩ／Ｆ部
１１９  操作パネル部
【図１】
2007134980.tif 000003
【図２】
2007134980.tif 000004
【図３】
2007134980.tif 000005
【図４】
2007134980.tif 000006
【図５】
2007134980.tif 000007
【図６】
2007134980.tif 000008